(57)【要約】【課題】清潔で、常にさわやかな感触で使用することができ、また健康的で、ヒノキやスギ、ヒバによる癒やし効果を備えた寝たきりの人用の握り具を提供しようとするものである。【解決手段】この考案の寝たきりの人用の握り具は、通気性を備えた表皮部材と、該表皮部材に充填された削り屑もしくはチップとを有する寝たきりの人用の握り具であって、寝たきりの人が掴みやすい形状及びサイズに形成されていることを特徴とするものである。【選択図】  図１
0003164907.tif 000002
【実用新案登録請求の範囲】
【請求項１】
通気性を備えた表皮部材と、該表皮部材に充填された削り屑もしくはチップとを有する寝たきりの人用の握り具であって、寝たきりの人が掴みやすい形状及びサイズに形成されていることを特徴とする寝たきりの人用の握り具。
【請求項２】
前記通気性を備えた表皮部材が、絹製その他の織布、適宜素材からなる不織布、耐湿性のある紙、あるいはそれらの積層構造物から選ばれてなる請求項１に記載の寝たきりの人用の握り具。
【請求項３】
前記表皮部材に充填された削り屑もしくはチップが、ヒノキやスギ、ヒバ、その他のフィトンチッドを発散する木材から作成されていることを特徴とする請求項１に記載の寝たきりの人用の握り具。
【考案の詳細な説明】
【技術分野】
【０００１】
この考案は、寝たきりの人が手で引っかいて自身の体に傷をつけたり、病人が点滴を抜き取ったりするのを防止したり、また寝たきりの人等が握力の維持・増強を図るために用いる寝たきりの人用の握り具に関するものである。
【背景技術】
【０００２】
人間の体の中でも特に手のひらは汗をかきやすい。年を取るにつれて手が握り締めるようなグーのようになりやすく、自らの指（爪）で自らの手のひらを傷つけることがよく起きているのが実情である。また、手が握り締めたグーのようになると、手のひらが乾燥しなくなって汚れやすく、雑菌のたまり場になるという問題があった。
従来の寝たきりの人用の握り具としては、特開２０１０−６３５６３号公報（特許文献１参照）のように、指に嵌装する環状指装着部と、該指装着部に接続される略立方体で球状柔軟性素材を内部に収納した手のひらの中で軽く握れる程度の容積の握持部と、からなり、握持部は、その外形を果物や野菜の形に形成した綿素材または樹脂素材からなる握りクッションが知られている。
【０００３】
また、実用新案登録第３１０５３１２号公報（特許文献２参照）のように、凹凸５のある表面を有しかつ片手で同時に握持可能な大きさを有する２つの球状体２，２を、可撓性ある紐３で相互に連結することにより形成されていて、上記紐３の長さが、該紐３の中間部を何れか一つの指に掛けて２つの球状体２，２を吊り下げた状態でこれらの球状体２，２を同時に握持可能な長さとした手指鍛錬具が知られている。
【０００４】
さらに、実開平６−６３０６５号公報（特許文献３参照）のように、柔軟で気密性の表皮２を有し、この表皮２の表面に多数の突起４が形成され、その内部には、遠赤外線を放射するセラミックス粒子が練り込まれた合成樹脂ファイバー６が収容され、その内部を所定の空気圧に設定し密閉構造にした把持ボール等も知られている。
【先行技術文献】
【特許文献】
【０００５】
【特許文献１】特開２０１０−６３５６３号公報
【特許文献２】実用新案登録第３１０５３１２号公報
【特許文献３】実開平６−６３０６５号公報
【考案の開示】
【考案が解決しようとする課題】
【０００６】
しなしながら、前記特許文献１および２の先行技術においては、表面に凹凸のある樹脂製等のカバー内にクッション材を収納したものであって、前記凹凸で把持する手指に指圧作用を及ぼすものとなっているが、短期間に樹脂製カバーが汚れてしまい、またクッション材の反発力で寝たきりの人や病人等が長時間把持し続けることは難しいというのが実情であった。
【０００７】
また、前記引用文献３の先行技術においては、遠赤外線を放射するセラミックス粒子が練り込まれた合成樹脂ファイバーが収容され、その内部を所定の空気圧に設定し密閉構造にしたボール状のものであるが、前記内部を所定の空気圧に設定し密閉構造にしたものであるから、前記先行技術と同様に反発力で寝たきりの人や病人等が長時間把持し続けることは難しく、またセラミックス粒子が練り込まれた合成樹脂ファイバーが高価なため、安価に提供することができないという問題点を有するものであった。
【０００８】
この考案は、寝たきりの人が手で引っかいて自身の体に傷をつけたり、病人が点滴を抜き取ったりするのを防止したり、また寝たきりの人等が握力の維持・増強を図るために用いることができるようにしたものであって、清潔で、常にさわやかな感触で使用することができ、また健康的で、ヒノキやスギ、ヒバによる癒やし効果を備えた寝たきりの人用の握り具を提供しようとするものである。
【課題を解決するための手段】
【０００９】
この考案は前記した課題を達成するために、下記の技術的手段を採用した。
請求項１の寝たきりの人用の握り具は、通気性を備えた表皮部材と、該表皮部材に充填された削り屑もしくはチップとを有する寝たきりの人用の握り具であって、寝たきりの人が掴みやすい形状及びサイズに形成されていることを特徴とするものである。
【００１０】
請求項２の寝たきりの人用の握り具は、前記通気性を備えた表皮部材が、絹製その他の織布、適宜素材からなる不織布、耐湿性のある紙、あるいはそれらの積層構造物から選ばれてなることをも特徴とするものである。
【００１１】
請求項３の寝たきりの人用の握り具類は、前記表皮部材に充填された削り屑もしくはチップが、ヒノキやスギ、ヒバ、その他のフィトンチッドを発散する木材から作成されていることをも特徴とするものである。
【考案の効果】
【００１２】
この考案の寝たきりの人用の握り具は、下記のような利点を有している。
１）天然素材の木材の削り肩は殺菌効果に優れ、清潔で、常にさわやかな感触で使用することができ、また健康的で、ヒノキやスギ、ヒバによる癒やし効果がある。
２）簡単かつ迅速に製造することができ、安価で自然環境に優しい、寝たきりの人用の握り具が提供できる。
３）スポンジ等に比べて弾力性が強すぎることがなく、適度な強さで握れてあまり疲れないので、長時間使用することができる。
４）可燃ごみとして処理できる。
５）五感で感じ刺激を得ることができる。
すなわち、天然素材の木材の削り屑を用いたことにより、その充填された商品の表面から感じ得る独特な触感は脳を刺激すると考えられる。
【図面の簡単な説明】
【００１３】
【図１】この考案の寝たきりの人用の握り具の１実施形態を示す側面図である。
【図２】その断面図である。
【図３】使用状態を示す説明図である。
【考案を実施するための形態】
【００１４】
以下、この考案の寝たきりの人用の握り具の実施の形態を図面に基いて詳細に説明する。
図１ないし図３はこの考案の寝たきりの人用の握り具の概略を示すものであり、例えば手で握りやすいようにした短い棒状をなしている。
【００１５】
図に示す寝たきりの人用の握り具１０の実施形態において、１１はヒノキやスギ、ヒバなどの削り屑もしくはチップであって、この削り屑もしくはチップ１１は、透水性や吸水性を有する、絹製その他の織布、適宜素材からなる不織布、耐湿性のある紙、あるいはそれらの積層構造物等で作製された通気性シート１２で包装されている。
このような包装作業においては、前記透水性や吸水性を有する和紙素材や合成繊維素材の不織布等からなる通気性シート１２であるメリットを利用し、接着剤による接着、電熱式熱圧着等でシール部分１３を密閉することにより、簡易迅速に包装することができる。もちろん、絹製その他の織布等においては適宜縫製することが望ましい。
また、中のヒノキやスギ、ヒバなどの削り屑もしくはチップ１１が片寄らないよう、また均一な厚みを確保するために縫製（キルティング）しておくことが望ましい。
【００１６】
＜ヒノキやスギ、ヒバなど＞
○木材等の成分でヒノキ（木曽桧）から出る成分としてフィトンチッドがある、フィトンチッドは樹木から発散される芳香生物質であり香りがよく、心地よさを与え、抗菌、防蟻、消臭作用、防ダニ効果等があり、殺虫作用としてはアンモニア系、アミン系の成分が含まれ、加齢臭でもあるノネナール等の消臭効果も有し、心身の増進に役立つ。
○ヒノキ材は熱や湿気を吸収し、また放出する効果もあり、夏涼しく冬暖かいという作用も有する。
○ヒノキ材は院内感染で問題になっている毒性の強いＭＲＳＡ（メチシリン耐性黄色球菌）等を死滅させる強力な殺菌効果も確認されている。
○アロマテラピー効果があって精神を安定させ、リラックス効果が高いので疲労回復作用やストレスを感じている人には最適で免疫効果としても風邪、インフルエンザ患者等への効能がある。
○ テルペンの薬理効果
リモネン：鎮痛、中枢抑制、末梢血管収縮、血清コレステロール低下
リノナール：興奮、血圧低下作用
痾ピネン：興奮、疲労回復作用
カンファー：興奮作用
繃テルピネン：利尿作用
ピペリトンやトロネラール：殺ダニ作用
その他として、肝機能向上、アトピー症状の緩和、鮮度保持作用などが知られている。
○同じくして杉（秋田杉）の木の成分としてセドロールがある。２００２年９月この精油主成分であるセドロール香気には鎮静効果、睡眠効果があることが証明されている。それによるとセドロール香気は交感神経の高まりを抑え、副交感神経を高める効果があり、血圧低下、心拍数減少とともに、呼吸を深くゆっくりさせる鎮静効果が見られることが確認されている。
また、快眠特性のある女性を調べた結果、就寝中に目が覚める中途覚醒が減少し、入眠潜時時間が減少することが確認され、睡眠効率が増加することも明らかになっている。さらに、スギの葉は粉にして線香の原材料に使用されている。
○同じくヒバ（青森ヒバ）は上記スギ、ヒノキの持つ効能はもとより、特に抗菌性に優れている。そこには他の国産材と比べても表面温度は１度〜２度暖かく保温性能に優れていて、手を触れるとその温もりをも感じ取れる。香りは甘く持続性に優れる。そしてヒノキチオールと呼ばれる成分がヒバの特徴を現している。
【００１７】
前記実施形態においては、寝たきりの人用の握り具１０の形状として手で握りやすいようにした短い棒状を例示したが、指が握りやすい凹凸を設けたグリップ形状や、球状、ラグビーボール状などの適宜の形状とすることが可能である。
【００１８】
前記各実施形態において、絹製その他の織布、適宜素材からなる不織布、耐湿性のある紙、あるいはそれらの積層構造物等からなる通気性シート１２は、それ自体で充分な引き裂き強度を有することが望ましく、また不織布、耐湿性のある紙、あるいはそれらの積層構造物等においては、目の粗い布や所定の間隔で配置した糸によって補強しておくことにより、引き裂き強度を高めておくことができる。
このようにすれば、取り扱う際に簡単に破損したり、前記削り屑もしくはチップ１１が外部に散逸してしまわないようになり、寝たきりの人用の握り具としての十分な強度を与えることができる。
【００１９】
なお、ヒノキやスギ、ヒバについては下記のような作用効果があると指摘されている。
○ 木材等の成分でヒノキから出る成分としてフィットンチッドがある、フィットンチッドは樹木から発散される芳香生物質であり香りがよく心地よさを与え抗菌、殺蟻、消臭作用防ダニ効果、殻虫作用としてはアンモニア系、アミン系、加齢臭でもあるノネナール等の消臭効果も有し心身の増進に役立つ。
○ ヒノキ材は熱や湿気を吸収し、又放出する効果もあり、夏涼しく冬暖かいという作用も有する。
○ ヒノキ材は院内感染で問題になっている毒性の強いＭＲＳＡ（メチシリン耐性黄色球菌）等を死滅させる強力な殺菌効果も確認されている。
【産業上の利用可能性】
【００２０】
この考案の使い捨て寝具は、寝たきりの人用の握り具としてはもちろん、健康な人の健康増進用の握り具等としての使用も可能である。
【符号の説明】
【００２１】
１０  寝たきりの人用の握り具
１１  削り屑もしくはチップ
１２  通気性シート
１３  シール部分
【図１】
0003164907.tif 000003
【図２】
0003164907.tif 000004
【図３】
0003164907.tif 000005